(57)【要約】【課題】簡単な構成で不正解錠を防止することができるゲーム機の施錠装置を提供する。【解決手段】上下の鉤部材５，６を連結する連結杆４が基枠体１内に摺動可能に配設される。傾動保持部材１６が、鉤部材５，６の傾動時に移動した連結杆４を基枠体１に対し係止してその傾動状態に保持するために、連結杆４の側部に揺動可能に枢支される。前面枠３１を本体枠３０に対し閉じたとき、傾動保持部材１６の一部が本体枠側の当接部３６に接触して回動し、連結杆４の係止を解除して施錠状態とする。さらに、シリンダ錠１４の非操作時、カム部材１３の係合凸部に係合して、連結杆４の解錠方向への移動を阻止するためのストッパ１９が、連結杆４の一部に固定される。【選択図】図４
2008073330.tif 000002
【特許請求の範囲】
【請求項１】
取付板と支持板とを有する基枠体の内側に連結杆が摺動可能に配設され、該支持板の上部と下部に鉤部材が傾動可能に枢支され、該連結杆の上端と下端が上下の鉤部材に連結され、該連結杆に鉤部材を施錠側に付勢するばね部材が装着され、該取付板の中間部にシリンダ錠が錠軸を内側に挿入して取り付けられ、該錠軸にカム板が該連結杆に係合可能に固定され、ゲーム機の前面枠の内側に該基枠体が縦に固定され、該ゲーム機の本体枠内に固定された受け金具に該鉤部材が係止されて前面枠を施錠するゲーム機の施錠装置において、
該連結杆には該鉤部材の傾動時に移動した該連結杆を該基枠体に対し係止して該鉤部材を傾動状態に保持する傾動保持部材が揺動可能に枢支され、前面枠を本体枠に対し閉じたとき、該傾動保持部材の一部が本体枠側の当接部に接触して回動し、該連結杆の係止を解除するように構成され、施錠状態時に、該カム部材の係合凸部に係合して、該連結杆の解錠方向への移動を阻止するためのストッパが、該連結杆の一部に固定されたことを特徴とするゲーム機の施錠装置。
【請求項２】
前記ストッパは、前記シリンダ錠の解錠操作時に前記カム部材が回動して前記連結杆と係合する際の該カム部材の係合凸部と対向する該連結杆の部位であって、解錠時の該カム部材の回動方向とは反対側に、固定ねじで締付固定されたことを特徴とする請求項１記載のゲーム機の施錠装置。
【請求項３】
前記ストッパは、前記シリンダ錠の解錠操作時に前記カム部材が回動して前記連結杆と係合する該カム部材の係合凸部に隣接する該連結杆の角部であって、該カム部材の解錠時の反回動方向側に、接着剤で接着されたことを特徴とする請求項１記載のゲーム機の施錠装置。                                                                        
【発明の詳細な説明】
【技術分野】
【０００１】
本発明は、スロットマシン、パチンコ機などのゲーム機に使用される施錠装置に関し、特に、非解錠操作時にはシリンダ錠の錠軸に固定したカム部材の先端を連結杆に係止させて、連結杆をロックし、針金などによる不正解錠を効果的に防止し得るゲーム機の施錠装置に関する。
【背景技術】
【０００２】
この種のゲーム機の施錠装置として、ゲーム機の本体枠（筐体）の前面にヒンジを介して開閉可能に取り付けられた前面枠（前扉）を施錠するために、前面枠の内側に縦に装着され、本体枠側に取り付けた受け金具にフック状の鉤部材を係止させて施錠する施錠装置が、従来一般に使用されている。
【０００３】
この施錠装置は、通常、取付板と支持板を横断面略Ｌ形またはコ字形に成形してなる縦長の基枠体を有し、その支持板の上部と下部に、鉤部材を傾動可能に枢支し、基枠体内に摺動可能に配設した連結杆により上下の鉤部材を連結し、基枠体の取付板の中間部にシリンダ錠が取り付けられ、その錠軸の先端に取り付けたカム部材を連結杆に連結させ、シリンダ錠のキー操作によりカム部材を回動させ、連結杆を介して上下の鉤部材を下側に傾動させ、解錠する構造である。また、連結杆には鉤部材を施錠側に付勢するコイルばねが掛止され、前面枠を本体枠に対し閉鎖した時、鉤部材が受け金具の縁部に当って傾動しながら、係止状態となり、コイルばねの付勢力で、鉤部材が係止位置に戻り、施錠状態となるように動作する。
【特許文献１】特開2001-38026号公報
【特許文献２】特開2001-342763号公報
【発明の開示】
【発明が解決しようとする課題】
【０００４】
ところで、この種のゲーム機は、近年、大当たり入賞状態になれば、多くの球の払出が行なわれる機種が人気を呼び、大当たり入賞の生じるゲーム機が多く製造されている。しかし、大当たり入賞の当選の確率は、通常、制御回路内のプログラムやメモリ内のデータにより決定されることから、遊技場の営業中や非営業中に係らず、ゲーム機の前面枠を不正に開き、制御回路内の回路部品を不正な部品と交換し、有利な条件で遊技を行なうことにより、不正に多くの球の払出を得るような不正行為が発生している。
【０００５】
ゲーム機には、殆ど全てに上記のような構造の施錠装置が装着されており、正常なキーを用いてシリンダ錠を操作して、施錠装置を解錠しなければ、ゲーム機の前面枠は、殆ど開くことが不可能である。しかしながら、この種の通常の施錠装置では施錠状態で連結杆や鉤部材に解錠方向の力を加えた場合、解錠側に動き得る構造のため、前面枠と本体枠の隙間から針金などを差し込み、連結杆や鉤部材を動かして不正解錠が行なわれ、上記のような不正行為が行われる問題があった。
【０００６】
このため、従来、ゲーム機の前面枠を施錠する施錠装置において、前面枠を鉤部材により施錠した状態で、その鉤部材を連結する連結杆を不正解錠禁止機構とクラッチ機構によってロックし、不正解錠を防止する施錠装置が、上記特許文献１等により提案されている。しかしながら、上記従来のゲーム機の施錠装置は、不正解錠禁止機構とクラッチ機構が複雑な構造であるため、部品の加工工数が増大すると共に、部品点数も多く、部品の組付作業時にも多くの工数が必要となる等の問題があった。
【０００７】
また、上記特許文献２などにおいて、上部の鉤部材と下部の鉤部材を独立して傾動可能な構造とする共に、何れか一方の鉤部材を針金などで引っ掛けて傾動させた場合でも、他方の鉤部材は連動しないようにして、針金などを使用した不正解錠を防止する施錠装置が提案されているが、この種の施錠装置は構造的に鉤部材やそれを連結する連結杆がゲーム機の前面枠と本体枠の開口隙間に近い箇所に配置されるため、やはり針金などで不正解錠される虞があった。
【０００８】
本発明は、上記の点に鑑みてなされたもので、簡単な構成で不正解錠を防止することができるゲーム機の施錠装置を提供することを目的とする。
【課題を解決するための手段】
【０００９】
上記目的を達成するために、本発明のゲーム機の施錠装置は、取付板と支持板とを有する基枠体の内側に連結杆が摺動可能に配設され、支持板の上部と下部に鉤部材が傾動可能に枢支され、連結杆の上端と下端が上下の鉤部材に連結され、連結杆に鉤部材を施錠側に付勢するばね部材が装着され、取付板の中間部にシリンダ錠が錠軸を内側に挿入して取り付けられ、錠軸にカム部材が連結杆に係合可能に固定され、ゲーム機の前面枠の内側に基枠体が縦に固定され、ゲーム機の本体枠内に固定された受け金具に鉤部材が係止されて前面枠を施錠するゲーム機の施錠装置において、連結杆には鉤部材の傾動時に移動した連結杆を基枠体に対し係止して鉤部材を傾動状態に保持する傾動保持部材が揺動可能に枢支され、前面枠を本体枠に対し閉じたとき、傾動保持部材の一部が本体枠側の当接部に接触して回動し、連結杆の係止を解除するように構成され、施錠状態時に、カム部材の係合凸部に係合して、連結杆の解錠方向への移動を阻止するためのストッパが、連結杆の一部に固定されたことを特徴とする。
【００１０】
ここで、上記ストッパは、シリンダ錠の解錠操作時にカム部材が回動して連結杆と係合する際のカム部材の係合凸部と対向する連結杆の部位であって、該解錠時のカム部材の回動方向とは反対側に、固定ねじで締付固定することができる。
【００１１】
また、上記ストッパは、シリンダ錠の解錠操作時にカム部材が回動して連結杆と係合するカム部材の係合凸部に隣接する連結杆の角部であって、カム部材の解錠時の反回動方向側に、接着剤で接着することができる。
【発明の効果】
【００１２】
上記構成の施錠装置は、シリンダ錠にキーを差し込み解錠操作すると、カム部材を介して連結杆が解錠側に摺動し、鉤部材が傾動したとき、傾動保持部材が連結杆を係止して、鉤部材を傾動状態に保持し、解錠状態となる。そして、本体枠に対し前面枠を閉じると、傾動保持部材が本体枠側の当接部に接触して、傾動状態を解除し、これにより、上下の鉤部材が施錠側に回動して本体枠側の受け金具に係止されて施錠される。
【００１３】
このような施錠状態において、本施錠装置では、仮に、前面枠の隙間から針金等の不正器具が差し込まれ、連結杆を解錠側に動かそうとする不正が行なわれたとしても、連結杆に固定したストッパがカム部材の係合凸部に当接して、連結杆の解錠側への摺動を阻止する。このため、針金等の不正器具による不正解錠をストッパの取付により防止することができる。
【００１４】
また、ストッパは、連結杆におけるカム部材の係合凸部近傍に、固定ねじにより固定し或いは接着剤により接着するため、既に設計された施錠装置或いは既に製造された施錠装置に対し、簡便に適用することができる。
【発明を実施するための最良の形態】
【００１５】
以下、本発明の実施の形態を図面に基づいて説明する。図１〜図４はゲーム機用施錠装置の正面図、右側面図、背面図、及び斜視図を示し、図５、図６は分解図を示している。この施錠装置は、金属板をプレス加工して形成された縦長の基枠体１を有し、基枠体１は略断面Ｌ形に曲折された取付板２と支持板３を持ち、取付板２の反支持板側の端部は短い幅で正面側に長手方向に沿って曲折される。また、取付板２には、後述の連結杆４を摺動可能にガイドするガイド部２ａが内側に突設され、さらに、シリンダ錠１４の取付用の孔と複数の固定孔が穿設されている。
【００１６】
取付板２に対し略直角に曲折された支持板３の上部と下部近傍に幅広部が形成され、その部分に、フック状に形成された鉤部材５、６が枢軸７、８により回動可能に軸支されている。鉛直状態とした支持板３に対し、上下の鉤部材５，６は、各々略水平横方向に突出した状態で停止し、且つその状態から下側に所定の傾斜角度だけ回動するように、枢軸７、８によって枢支されている。さらに、基枠体１の支持板３の内側に沿って、帯状の連結杆４が摺動可能に配設され、上下の鉤部材５、６の末端部に連結軸９、１０を介して連結杆４の上端と下端が連結され、連結杆４が取付板２の内側を上方に摺動することにより、鉤部材５、６は下側の解錠位置に傾動する。
【００１７】
取付板２の上部と中間部と下部寄りに、山形のガイド部２ａが連結杆４をガイドするように、取付板を内側に切り起して形成されている。連結杆４はそのガイド部２ａと支持板３間に配設され、ガイド部２ａと支持板３により上下摺動可能にガイドされる。また、図５、図６のように、連結杆４の一部に長孔４ｂが穿設され、その長孔４ｂにガイドピン１２が挿通されて支持板３に固定され、連結杆４はガイドピン１２により長手方向に摺動可能にガイドされる。また、連結杆４の中間部には、後述のカム部材１３の係合凸部１３ａに係合可能な係合部４ｃが形成されている。
【００１８】
さらに、図５、図６に示すように、連結杆４の上部近傍には、シリンダ錠１４の解錠操作時に、鉤部材５，６を傾動状態に保持するために、傾動保持部材１６が取り付けられている。この連結杆４の上部には開口部４ａが形成され、その開口部４ａから係合部１６ｂを突出させる形態で、傾動保持部材１６が枢軸１６ｃにより揺動可能に且つ連結杆４を施錠状態で基枠体１に対し係止するように、連結杆４の一部に枢支されている。
【００１９】
傾動保持部材１６は略Ｃ字形に形成され、その先端に当接片１６ａが後述の本体枠側の当接部３６と当接可能に設けられ、その末端には係合部１６ｂが基枠体１の取付板２上に立設した係止部１１と係合可能に形成されている。この傾動保持部材１６には弱いばね力のコイルばね１７がその係合部１６ｂを係止部１１に係止させる方向に回動させるように、連結杆４との間に装着されている。すなわち、シリンダ錠１４を解錠方向に回し、カム部材１３を介して連結杆４を上方に移動させ、鉤部材５，６を解錠状態に傾動させたとき、コイルばね１７のばね力によって傾動保持部材１６を係止側に回動させ、その位置の連結杆４を基枠体１に対しロックして鉤部材５，６の解錠姿勢を保持するように、傾動保持部材１６は連結杆４に取り付けられている。
【００２０】
さらに、取付板２の中間部には、シリンダ錠１４を取り付けるための幅広部が形成され、その幅広部に円形孔が穿設され、その孔にシリンダ錠１４が背面側から挿入され、そのフランジ部を取付板２の内側にねじ止めして、シリンダ錠１４が取付板２上に取り付けられる。さらに、図５に示すように、支持板３と連結杆４との間に、スイッチ作動杆１５が摺動可能に配設される。また、このスイッチ作動杆１５は、後述のシリンダ錠１４によりカム部材１３を左に回したとき、その係合凸部１３ｂに係合して下側に摺動し、作動スイッチ２１をオンオフ操作するように構成される。連結杆４とスイッチ作動杆１５の間にコイルばね１７ｂが掛けられ、このコイルばね１７ｂのばね力によって連結杆４は下側に付勢され、スイッチ作動杆１５は上側に付勢されている。
【００２１】
シリンダ錠１４は長尺のシリンダ部を有して形成され、その錠軸の先端が基枠体１の内側に突出しそこにカム部材１３が固定される。図６に示すように、カム部材１３には係合凸部１３ａと１３ｂが設けられ、連結杆４の対応箇所には、係合凸部１３ａと係合可能な係合部４ｃが設けられ、スイッチ作動杆１５にも係合凸部１３ｂと係合可能な係合凹部が設けられる。カム部材１３の係合凸部１３ａはシリンダ錠１４のキーを右に回した時、連結杆４と係合して連結杆４を上方に移動させ、カム部材１３の係合凸部１３ｂはキーを左に回した時、スイッチ作動杆１５と係合してこれを下方に摺動させる。
【００２２】
図５、図６に示すように、取付板２の幅広部の下寄りに、連結杆４の下端部をその下降時に検出するように検出スイッチ２０が取り付けられている。検出スイッチ２０には、透過型の光電スイッチ、近接スイッチなどの非接触スイッチが使用され、施錠状態にある連結杆４を検知してその信号を出力すると共に、シリンダ錠１４の右回動操作によって連結杆４が解錠位置に移動したとき、連結杆４の端部が外れたことを検出してその信号を出力する。また、スイッチ作動杆１５の下端部に対向した位置に、上記と同様な非接触式の作動スイッチ２１が取付板２上に取り付けられ、シリンダ錠１４を左に回し、スイッチ作動杆１５が下に移動したとき、その端部を検知してリセット信号などの信号を出力する。
【００２３】
支持板３の下部の幅広部には、合成樹脂製のローラ１８が回転自在に軸支される。このローラ１８は、前面枠の閉鎖時に本体枠側のローラ受け上を転動して前面枠を支持するように設けられる。また、図２のように、支持板３と反対側の取付板２の側縁部には、縁部を正面側に直角に曲げることにより、側壁２ｂが形成され、これによって、基枠体１を補強すると共に、カム部材１３やその係合部分に、針金等を侵入させないようにしている。
【００２４】
さらに、図５、図６、図８などに示すように、シリンダ錠１４の非操作時、カム部材１３の係合凸部１３ａに係合して、連結杆４の解錠方向への移動を阻止するためのストッパ１９が、連結杆４の側面に固定される。ストッパ１９は、例えば合成樹脂により図７に示すような形状に成形され、その下部内側に、カム部材１３の係合凸部１３ａが係合可能な突起部１９ａが形成される。
【００２５】
さらに、ストッパ１９の内側には、連結杆４の側部を嵌合させるための板状の凹部１９ｂが形成され、この凹部１９ｂに連結杆４を嵌め合わせるようにして、ストッパ１９は連結杆４の側部の定位置に取り付けられる。また、ストッパ１９には固定ねじ１９ｄをねじ込むための固定孔１９ｃが穿設され、連結杆４の対応位置にも固定孔が穿設される。ストッパ１９を連結杆４に取り付ける場合、ストッパ１９の凹部１９ｂを連結杆４の定位置に嵌め込み、連結杆４の側から固定ねじ１９ｄをその固定孔に挿入し、固定ねじ１９ｄの先端をストッパ１９側の固定孔１９ｃにねじ込み、締付固定する。
【００２６】
このように構成された施錠装置は、図９に示すように、ゲーム機例えばスロットマシンの前面枠３１（前扉）の内側に、基枠体１の取付板２を縦に固定して装着され、ゲーム機の本体枠３０側の対応位置に、受け金具３３が取り付けられる。
【００２７】
受け金具３３は、図９のように、縦長の基板の上部と下部に、板状の係止部３４，３５を突設して形成され、係止部３４，３５は施錠装置側の鉤部材５、６の対向位置に配置される。さらに、受け金具３３における傾動保持部材１６に対応した位置には、当接部３６が設けられ、その板状係止部３５の下側にはローラ受け３７が設けられる。
【００２８】
前面枠３１を本体枠３０に対し閉じる際には、先ず、キーによりシリンダ錠１４の錠軸を回して、上下の鉤部材５、６を傾動状態とする。所定のキーをシリンダ錠１４に挿入し、それを右に回すと、錠軸、カム部材１３が同方向に回動し、カム部材１３の係合凸部１３ａとの係合により連結杆４がコイルばね１７ｂの付勢力に抗して上方に移動し、これにより、上下の鉤部材５、６が下側に傾動した状態となる。
【００２９】
このとき、連結杆４と共に傾動保持部材１６が上に移動するが、コイルばね１７ａの弱いばね力によって傾動保持部材１６は図２の時計方向に付勢されており、鉤部材５，６の傾動時には、同方向に僅かに回動して、傾動保持部材１６の下端の係合部１６ｂが基枠体１側の係止部１１に係合し、これによって、連結杆４は、上下の鉤部材５、６を傾動させた状態でロックされ静止する。
【００３０】
この状態で、前面枠３１を本体枠３０に対し閉じると、傾動保持部材１６の先端の当接片１６ａが本体枠側の当接部３６に当たり、傾動保持部材１６が図９の反時計方向に僅かに回動する。これにより、傾動保持部材１６の係合部１６ｂと基枠体側の係止部１１との係合が外れ、連結杆４はコイルばね１７ｂの付勢力により下側に移動する。これに伴い、上下の鉤部材５，６は、図９のように、施錠側に回動して、受け金具３３の係止部３４，３５に係止され、施錠状態となる。この際、連結杆４が下方へ移動したとき、検出スイッチ２０がそれを検出して信号を出力し、前面枠３１の施錠が電気的に検出される。
【００３１】
このような施錠状態において、図４、図８に示すように、連結杆４に取り付けたストッパ１９は、カム部材１３の係合凸部１３ａの真下に位置する。このため、仮に、前面枠３１と本体枠３０との隙間から差し込まれた針金等の不正器具により、連結杆４を解錠方向（上側）に移動させようとしても、ストッパ１９がカム部材１３の係合凸部１３ａに当接して移動できず、不正解錠を行なうことはできない。
【００３２】
一方、前面枠３１を開くために、所定のキーをシリンダ錠１４に挿入し、それを右に回すと、図１０のように、錠軸、カム部材１３が同方向に回動し、カム部材１３の係合凸部１３ａとの係合により連結杆４がコイルばね１７ｂの付勢力に抗して上方に移動し、これにより、上下の鉤部材５、６が下側に傾動して、本体枠３０側の受け金具３３の係止部３４，３５との係合を外し、解錠状態となる。
【００３３】
解錠状態となると、前面枠３１が開放されるため、傾動保持部材１６の先端の当接片１６ａを押していた本体枠側の当接部３６が離れる。これにより、傾動保持部材１６は図２の時計方向に僅かに回動し、傾動保持部材１６の係合部１６ｂが基枠体側の係止部１１に係合して、連結杆４がその上方位置で係止され、上下の鉤部材５，６は傾動姿勢を保持され、解錠状態が保持される。このような連結杆４の上方位置へ移動は、検出スイッチ２０によって検出され、その信号が出力されて前面枠３１の解錠が電気的に検出される。
【００３４】
そして、前面枠３１を閉じて再び施錠する場合、連結杆４は、上記のように上下の鉤部材５、６を傾動させた状態で、傾動保持部材１６の作動によりロックされ静止しているから、前面枠３１をそのまま閉じれば、上述の如く、傾動保持部材１６の先端の当接片１６ａが本体枠側の当接部３６に当たり、傾動保持部材１６が回動して、傾動保持部材１６の係合部１６ｂと基枠体側の係止部１１との係合が外れる。したがって、連結杆４はコイルばね１７ａの付勢力により下側に移動して、上下の鉤部材５，６が施錠側に回動して、図９のように受け金具３３の係止部３４，３５に係止され、施錠状態となる。
【００３５】
このように、前面枠３１を閉じて施錠する際、鉤部材５，６が傾動姿勢を保持した状態で、前面枠３１が閉鎖されるが、そのときに傾動保持部材１６が本体枠側の当接部３６に接触すると、傾動保持部材１６つまり連結杆４の基枠体１に対する係止が解除される。これによって、連結杆４はコイルばね１７ｂのばね力により施錠方向に移動して鉤部材５，６が施錠側に回動し、受け金具３３に係止され、施錠状態となるから、鉤部材の傾斜面が受け金具に当接したとき、連結杆を施錠側に付勢する強力なばね力に抗して鉤部材が受け金具を押して傾動するときの抵抗がなくなり、非常に僅かな力で、前面枠３１を閉じて施錠することができる。これにより、鉤部材５，６と受け金具３３の係止部３４，３５との間に、大きな摩擦力は生じず、鉤部材５，６または受け金具３３の係止部３４，３５の摩耗を低減することができる。
【００３６】
また、基枠体１上に解錠・施錠状態を検出するための検出スイッチ２０を設け、摺動する連結杆４の端部を検知して施錠状態と解錠状態を検出する場合、キーを用いてシリンダ錠１４を解錠操作し、キーに加えた回動操作力をなくしてシリンダ錠を元の復帰位置に戻した場合でも、解錠位置に移動した連結杆４はその状態を傾動保持部材１６により保持されるため、検出スイッチ２０は、前面枠３１が開放されている間、連結杆４の解錠姿勢を検出する信号を出し続ける。このため、キーによりシリンダ錠の錠軸を回動して解錠した後、キーの回動操作力をなくした際に、連結杆がばね力により元の状態（施錠状態）に復帰することがなく、前面枠３１が解錠され開放されている間は、検出スイッチ２０が連結杆４の解錠姿勢を検出する信号を出し続けることができる。これにより、検出スイッチ２０からの検出信号を入力する管理用コンピュータなどは、ゲーム機の前面枠が解錠され開放された状態を正確に認識することができる。
【００３７】
一方、ゲーム機のリセットなどで、作動スイッチ２１を動作させたい場合、シリンダ錠１４に差し込んだキーを左に回し、カム部材１３を図８のように、時計方向に回転させる。この動作により、カム部材１３の係合凸部１３ｂがスイッチ作動杆１５の係合部と係合してこれを下方に摺動させ、スイッチ作動杆１５の移動に応じて作動スイッチ２１がオンオフする。
【００３８】
このように、上記ゲーム機の施錠装置によれば、仮に、前面枠３１の隙間から針金等の不正器具が差し込まれ、連結杆４を解錠側に動かそうとする不正が行なわれたとしても、連結杆４に固定したストッパ１９がカム部材１３の係合凸部１３ａに当接して、連結杆４の解錠側への摺動を阻止する。このため、針金等の不正器具による不正解錠を、ストッパ１９の取付により防止することができる。
【００３９】
また、ストッパ１９は、連結杆４におけるカム部材１３の係合凸部１３ａ近傍に、固定ねじ１９ｄにより固定するため、既に設計された施錠装置或いは既に製造された施錠装置に対し、簡便に適用することができる。
【００４０】
図１１〜図２０は他の実施形態のゲーム機用施錠装置を示している。この施錠装置は、金属板をプレス加工して略断面コ字状に形成されたチャンネル材型の縦長の基枠体５１を、基本フレームとして有して形成されている。基枠体５１は、正面側に位置する取付板５２と、取付板５２の左縁部から直角に背面側に曲折された支持板５３と、取付板５２の右縁部から背面側に直角に曲折された側壁５２ｂを有し、充分な曲げ強度をもって形成される。また、取付板５２には、後述の連結杆５４を摺動可能にガイドするガイド部５２ａが内側に突設され、さらに、シリンダ錠６４の取付用の孔と複数の固定孔が穿設されている。
【００４１】
取付板５２に対し略直角に曲折された支持板５３の上部と下部近傍に幅広部が形成され、その部分に、フック状に形成された鉤部材５５、５６が枢軸５７、５８により回動可能に軸支されている。上下の鉤部材５５，５６は、支持板５３から略水平横方向に突出した状態で停止し、且つその状態から上側に所定の傾斜角度だけ回動するように、枢軸５７、５８によって支持板５３の上部と下部に枢支される。
【００４２】
さらに、基枠体５１の支持板５３の内側に沿って、帯状の連結杆５４が摺動可能に配設される。連結杆５４の上端と下端は、上下の鉤部材５５、５６の末端部に連結軸５９、６０を介して連結され、連結杆５４が取付板５２の内側を下方に摺動することにより、鉤部材５５、５６は上側の解錠角度まで傾動する。連結杆５４の下部には、コ字状に曲折した曲折部が設けられ、その曲折部は取付板５２の幅広部５２ｃに取り付けられるシリンダ錠６４側に向けられ、後述のカム部材６３に係合可能とされる。
【００４３】
取付板５２の下部に、山形のガイド部５２ａが連結杆５４をガイドするように、取付板を内側に切り起して形成されている。連結杆５４はそのガイド部５２ａと支持板５３間に配設され、ガイド部５２ａと支持板５３により上下摺動可能にガイドされる。また、連結杆５４の中間部には、後述のカム部材６３の係合凸部６３ａに係合可能な係合部５４ｃが形成されている。
【００４４】
さらに、図１５、図１６に示すように、連結杆５４の上部近傍には、シリンダ錠６４の解錠操作時に、鉤部材５５，５６を傾動状態に保持するために、傾動保持部材６６が取り付けられている。この連結杆５４の上部には開口部５４ａが形成され、その開口部５４ａから係合部６６ｂを突出させる形態で、傾動保持部材６６が、枢軸６６ｃにより揺動可能に、且つ連結杆５４を施錠状態で基枠体５１に対し係止するように、連結杆５４の一部に枢支されている。
【００４５】
図１５、図１６に示すように、傾動保持部材６６は略Ｃ字形に形成され、その先端に当接部６６ａが本体枠側の当接部と当接可能に設けられ、その末端には係合部６６ｂが基枠体５１の取付板５２上に立設した係止部６１と係合可能に形成されている。この傾動保持部材６６には弱いばね力のコイルばね６７ａがその係合部６６ｂを係止部６１に係止させる方向に回動させる如く、連結杆５４との間に装着されている。すなわち、シリンダ錠６４の錠軸を解錠方向（右方向）に回し、カム部材６３を回して連結杆５４を下方に移動させ、鉤部材５５，５６を解錠状態に傾動させたとき、コイルばね６７ａのばね力によって傾動保持部材６６を係止側に回動させ、その位置の連結杆５４を基枠体５１に対しロックして鉤部材５５，５６の解錠姿勢を保持するように、傾動保持部材６６は連結杆５４に取り付けられている。
【００４６】
さらに、図１３、図１６に示すように、取付板５２の中間部に、シリンダ錠６４を取り付けるための幅広部５２ｃが正面視で支持板５３の左側（外側）に突き出すように形成される。その幅広部５２ｃに円形孔が穿設され、その孔にシリンダ錠６４が背面側から挿入され、そのフランジ部を取付板５２の内側にねじ止めして、シリンダ錠６４が取付板５２の幅広部５２ｃ上に取り付けられる。
【００４７】
さらに、図１５、図１６に示すように、支持板５３と連結杆５４との間に、スイッチ作動杆６５が摺動可能に配設される。また、このスイッチ作動杆６５は、シリンダ錠６４によりカム部材６３を図１３の時計方向（左側）に回したとき、その係合凸部６３ｂに係合して上側に摺動し、作動スイッチ７１をオンオフ操作するように構成される。連結杆５４とスイッチ作動杆６５の間にコイルばね６７ｂが掛けられ、このコイルばね６７ｂのばね力によって連結杆５４は上側に付勢され、スイッチ作動杆６５は下側に付勢されている。
【００４８】
シリンダ錠６４は長尺のシリンダ部を有して形成され、その錠軸の先端が基枠体５１の内側に突出しそこにカム部材６３が固定される。図１６に示すように、カム部材６３には係合凸部６３ａと６３ｂが設けられ、連結杆５４の対応箇所には、係合凸部６３ａと係合可能な係合部５４ｃが設けられ、スイッチ作動杆６５にも係合凸部６３ｂと係合可能な係合部６５ｃが設けられる。カム部材６３の係合凸部６３ａはシリンダ錠６４のキーを右に回した時、連結杆５４と係合して連結杆５４を下方に移動させ、カム部材６３の係合凸部６３ｂはキーを左に回した時、スイッチ作動杆６５と係合してこれを上方に摺動させる。
【００４９】
図１５、図１６に示すように、取付板５２の幅広部５２ｃの下寄りに、連結杆５４の下降時にその下端近傍を検出するように、検出スイッチ７０が取り付けられている。検出スイッチ７０には、透過型の光電スイッチ、近接スイッチなどの非接触スイッチが使用され、施錠状態にある連結杆５４を検知してその信号を出力すると共に、シリンダ錠６４の右回動操作によって連結杆５４が解錠位置に移動したとき、連結杆５４の端部を検出してその信号を出力する。一方、スイッチ作動杆６５の下端部近傍にも、上記と同様な非接触式の作動スイッチ７１が取付板５２上に取り付けられ、シリンダ錠６４を左に回し、スイッチ作動杆６５が上に移動したとき、その端部を検知してリセット信号などの信号を出力する。
【００５０】
支持板５３の下部の幅広部には、合成樹脂製のローラ６８が回転自在に軸支される。このローラ６８は、前面枠の閉鎖時に本体枠側のローラ受け上を転動して前面枠を支持するように設けられる。
【００５１】
さらに、図１５、図１６、図１８などに示すように、シリンダ錠６４の非操作時、カム部材６３の係合凸部６３ａに係合して、連結杆５４の解錠方向への移動を阻止するためのストッパ６９が、連結杆５４の下部近傍の曲折部における角部の側面に嵌め込まれ、且つ接着剤により固定される。ストッパ６９は、例えば合成樹脂により、図１７に示すような形状に成形され、その下部内側に、カム部材６３の係合凸部６３ａが係合可能な突起部６９ａが形成されている。
【００５２】
図１７のように、ストッパ６９の側部に、連結杆５４の角部の内側面に当接する２面の接着面６９ｂ、６９ｃが形成され、その接着面６９ｂ、６９ｃの上部に、連結杆５４の角部の縁部に、上から被せるように嵌合する嵌合部６９ｄが形成されている。ストッパ６９を連結杆５４の角部定位置に固定する場合、この嵌合部６９ｄを、連結杆５４の曲折部の角部に嵌め込み、接着面６９ｂ、６９ｃと連結杆５４の側面に接着剤を付し、連結杆５４にストッパ６９が取着される。
【００５３】
このような状態で、ストッパ６９の突起部６９ａは、図１８に示す如く、カム部材６３の係合凸部６３ａの真上に位置し、施錠状態において、このストッパ６９の突起部６９ａにカム部材の係合凸部６３ａが当接することにより、連結杆５４の下降移動を阻止するように作用する。このような構造のストッパ６９は、それを連結杆５４の角部の定位置に接着するだけで、その突起部６９ａをカム部材６３の係合凸部６３ａの真上に簡単に配置して取り付けることができる。
【００５４】
次に、上記施錠装置の動作を説明する。この施錠装置を取り付けた前面枠を本体枠に対し閉じる際には、先ず、キーによりシリンダ錠６４の錠軸を回して、上下の鉤部材５５、５６を傾動状態とする。所定のキーをシリンダ錠６４に挿入し、それを右に回すと、錠軸、カム部材６３が同方向に回動し、カム部材６３の係合凸部６３ａとの係合により連結杆５４がコイルばね６７ｂの付勢力に抗して下方に移動し、これにより、上下の鉤部材５５、５６が上側に傾動した状態となる。
【００５５】
このとき、連結杆５４と共に傾動保持部材６６が下に移動するが、コイルばね６７ａの弱いばね力によって傾動保持部材６６は図１４の反時計方向に付勢されており、鉤部材５５，５６の傾動時には、同方向に僅かに回動して、傾動保持部材６６の下端の係合部６６ｂが基枠体５１側の係止部６１に係合し、これによって、連結杆５４は、上下の鉤部材５５、５６を傾動させた状態でロックされ静止する。
【００５６】
この状態で、前面枠を本体枠に対し閉じると、傾動保持部材６６の先端の当接部６６ａが本体枠側の当接部に当たり、傾動保持部材６６が図１４の時計方向に僅かに回動する。これにより、傾動保持部材６６の係合部６６ｂと基枠体側の係止部６１との係合が外れ、連結杆５４はコイルばね６７ａの付勢力により上側に移動する。これに伴い、上下の鉤部材５５，５６は、施錠側に回動して、受け金具の係止部に係止され、施錠状態となる。この際、連結杆５４が上方へ移動したとき、検出スイッチ７０がそれを検出して信号を出力し、前面枠の施錠が電気的に検出される。
【００５７】
このような施錠状態において、図１３、図１８に示すように、連結杆５４に取り付けたストッパ６９は、カム部材６３の係合凸部６３ａの真上に位置する。このため、仮に、前面枠と本体枠との隙間から差し込まれた針金等の不正器具により、連結杆５４を解錠方向（下側）に移動させようとしても、ストッパ６９がカム部材６３の係合凸部６３ａに当接して移動できず、不正解錠を行なうことはできない。
【００５８】
一方、前面枠を開くために、所定のキーをシリンダ錠６４に挿入し、それを右に回すと、図１９のように、錠軸、カム部材６３が同方向に回動し、カム部材６３の係合凸部６３ａとの係合により連結杆５４がコイルばね６７ｂの付勢力に抗して下方に移動し、これにより、上下の鉤部材５５、５６が上側に傾動して、本体枠側の受け金具の係止部との係合を外し、解錠状態となる。
【００５９】
解錠状態となると、前面枠が開放されるため、傾動保持部材６６の先端の当接部６６ａを押していた本体枠側の当接部が離れる。これにより、傾動保持部材６６は図１４の反時計方向に僅かに回動し、傾動保持部材６６の係合部６６ｂが基枠体側の係止部６１に係合して、連結杆５４がその下方位置で係止され、上下の鉤部材５５，５６は傾動姿勢を保持され、解錠状態が保持される。このような連結杆５４の下方位置へ移動は、検出スイッチ７０によって検出され、その信号が出力されて前面枠の解錠が電気的に検出される。
【００６０】
このように、上記ゲーム機の施錠装置によれば、仮に、前面枠の隙間から針金等の不正器具が差し込まれ、連結杆５４を解錠側に動かそうとする不正が行なわれたとしても、連結杆５４に固定したストッパ６９がカム部材６３の係合凸部６３ａに当接して、連結杆５４の解錠側への摺動を阻止する。このため、針金等の不正器具による不正解錠を、ストッパ６９の取付により防止することができる。
【００６１】
また、ストッパ６９は、連結杆５４における曲折部の角部であって、カム部材６３の係合凸部６３ａ近傍の所定位置に、接着剤により簡便に固定することができ、既に設計された施錠装置或いは既に製造された施錠装置に対し、簡便に適用することができる。
【図面の簡単な説明】
【００６２】
【図１】本発明の一実施形態を示すゲーム機の施錠装置の正面図である。
【図２】同施錠装置の右側面図である。
【図３】同施錠装置の背面図である。
【図４】同施錠装置の背面側からの斜視図である。
【図５】同施錠装置の分解右側面図である。
【図６】同施錠装置の分解背面図である。
【図７】（ａ）はストッパの正面側からの斜視図、（ｂ）は同ストッパの背面側からの斜視図である。
【図８】カム部材付近の拡大背面図である。
【図９】施錠装置の使用状態を示す右側面図である。
【図１０】前面枠解錠操作時のカム部材付近の拡大背面図である。
【図１１】他の実施形態の施錠装置の背面からの斜視図である。
【図１２】同施錠装置の底面図である。
【図１３】同施錠装置の背面図である。
【図１４】同施錠装置の右側面図である。
【図１５】同施錠装置の分解右側面図である。
【図１６】同施錠装置の分解背面図である。
【図１７】ストッパ６９の斜視図である。
【図１８】同施錠装置のカム部材近傍の拡大背面図である。
【図１９】解錠操作時のカム部材近傍の拡大背面図である。
【図２０】斜め右側背面からのカム部材近傍の拡大斜視図である。
【符号の説明】
【００６３】
１      基枠体
２      取付板
３      支持板
４      連結杆
４ａ    開口部
４ｃ    係合部
５      鉤部材
６      枢軸
７      枢軸
９      連結軸
１１    係止部
１３    カム部材
１３ａ  係合凸部
１３ｂ  係合凸部
１４    シリンダ錠
１５    スイッチ作動杆
１６    傾動保持部材
１６ｂ  係合部
１６ｃ  枢軸
１９    ストッパ
３０    本体枠
３１    前面枠
３３    受け金具                                                                        
【図１】
2008073330.tif 000003
【図２】
2008073330.tif 000004
【図３】
2008073330.tif 000005
【図４】
2008073330.tif 000006
【図５】
2008073330.tif 000007
【図６】
2008073330.tif 000008
【図７】
2008073330.tif 000009
【図８】
2008073330.tif 000010
【図９】
2008073330.tif 000011
【図１０】
2008073330.tif 000012
【図１１】
2008073330.tif 000013
【図１２】
2008073330.tif 000014
【図１３】
2008073330.tif 000015
【図１４】
2008073330.tif 000016
【図１５】
2008073330.tif 000017
【図１６】
2008073330.tif 000018
【図１７】
2008073330.tif 000019
【図１８】
2008073330.tif 000020
【図１９】
2008073330.tif 000021
【図２０】
2008073330.tif 000022